(57)【要約】【課題】  近くにトランク扉や操作盤があっても、手すりの長さを充分取ることが可能でありしたがって、便利で安全性も高い手すりを有するエレベータかご室を提供すること。【解決手段】  エレベータかご室内に設けられる手すり１２と、この手すりが回動可能になるように前記手すりの一端を前記エレベータかご室の側板１１に固定する第１の固定手段と、この固定手段により固定された前記手すりがほぼ水平になるように前記手すりの他端を前記側板に着脱可能に固定する第２の固定手段とを有する。【選択図】図１
2005096962.tif 000002
【特許請求の範囲】
【請求項１】
エレベータかご室内に設けられる手すりと、
この手すりが回動可能になるように前記手すりの一端を前記エレベータかご室の側板に固定する第１の固定手段と、
この固定手段により固定された前記手すりがほぼ水平になるように前記手すりの他端を前記側板に着脱可能に固定する第２の固定手段とを有することを特徴とするエレベータかご室。
【請求項２】
エレベータかご室内に設けられる手すりと、
この手すりが前記エレベータかご室の側板に平行に、回動可能となるように前記手すりの一端を前記エレベータかご室の側板に固定する第１の固定手段と、
この第１の固定手段により固定された前記手すりがほぼ水平になるように前記手すりの他端を前記側板に着脱可能に固定する第２の固定手段と、
を有することを特徴とするエレベータかご室。
【請求項３】
前記第２の固定手段は、ねじにより前記側板に固定することを特徴とする請求項２記載のエレベータかご室。
【請求項４】
前記第２の固定手段は、鍵の回転により前記側板に着脱可能とすることを特徴とする請求項２記載のエレベータかご室。
【請求項５】
エレベータかご室内に並べてほぼ同じ高さに設けられる第１、第２の手すりと、
前記第１の手すりが前記エレベータかご室の側板に平行に、回動可能となるように前記第１の手すりの一端を前記エレベータかご室の側板に固定する第１の固定手段と、
この第１の固定手段により固定された前記第１の手すりがほぼ水平になるように前記第１の手すりの他端を前記側板に着脱可能に固定する第２の固定手段と、
前記第２の手すりが前記エレベータかご室の側板に平行に、回動可能となるように前記第２の手すりの一端を前記エレベータかご室の側板に固定する第３の固定手段と、
この第３の固定手段により固定された前記第２の手すりがほぼ水平になるように前記第２の手すりの他端を前記側板に着脱可能に固定する第４の固定手段と、
を有することを特徴とするエレベータかご室。
【請求項６】
エレベータかご室内に並べてほぼ同じ高さに設けられたヒンジ機構により接続された第１、第２、第３の手すりと、
前記第２の手すりを固定する第５の固定手段と、
前記第１の手すりの前記ヒンジ機構が接続されていない端を前記第１の手すりがほぼ水平になるように前記側板に着脱可能に固定する第６の固定手段と、
前記第３の手すりの前記ヒンジ機構が接続されていない端を前記第３の手すりがほぼ水平になるように前記側板に着脱可能に固定する第７の固定手段と、
を有することを特徴とするエレベータかご室。
【請求項７】
エレベータかご室内にほぼ水平に設けられる手すり外筒と、
この手すり外筒内から突出するようにスライド可能に前記手すり外筒の一端に設けられた第１の手すり内筒と、
この第１の手すり内筒の突出端を側板に着脱可能に固定する第１の突出固定手段
前記手すり外筒内から突出するようにスライド可能に前記手すり外筒の他端に設けられた第２の手すり内筒と、
この第２の手すり内筒の突出端を前記側板に着脱可能に固定する第２の突出固定手段と、
を有することを特徴とするエレベータかご室。
【請求項８】
エレベータかご室内に設けられる手すりと、
この手すりが水平に回動可能となるように前記手すりの一端を前記エレベータかご室の側板に固定する第１の固定手段と、
この固定手段により固定された前記手すりがほぼ水平になる方向に前記手すりの他端を前記側板に着脱可能に固定する第２の固定手段とを有することを特徴とするエレベータかご室。
【発明の詳細な説明】
【技術分野】
【０００１】
本発明は、エレベータかご室に係わり、特にエレベータかご室内に設けられる手すりの改良に関するものである。
【背景技術】
【０００２】
エレベータかご室内には、乗客の安全確保などのために、乗客の腰のあたりに横方向に手すりが設けられる。従来は図１１の平面図に示すように、エレベータかご室のトランク扉７５や操作盤７６が開閉されるとき障害とならないように、手すり７２は、これらにぶつからない長さにされていた。
【０００３】
しかしこのような長さでは、手すりが非常に短くなってしまい、手すりにつかまれる乗客は限られてしまい、多くの乗客にとって不便であり、安全性の点でも問題があった。
【発明の開示】
【発明が解決しようとする課題】
【０００４】
本発明は、上記のような、従来のエレベータかご室の手すりの問題点に鑑みてなされたもので、近くにトランク扉や操作盤があっても、手すりの長さを充分取ることが可能でありしたがって、便利で安全性も高い手すりを有するエレベータかご室を提供することを目的とする。
【課題を解決するための手段】
【０００５】
本発明の請求項１によれば、エレベータかご室内に設けられる手すりと、この手すりが回動可能になるように前記手すりの一端を前記エレベータかご室の側板に固定する第１の固定手段と、この固定手段により固定された前記手すりがほぼ水平になるように前記手すりの他端を前記側板に着脱可能に固定する第２の固定手段とを有することを特徴とするエレベータかご室を提供する。
【０００６】
本発明の請求項２によれば、エレベータかご室内に設けられる手すりと、この手すりが前記エレベータかご室の側板に平行に、回動可能となるように前記手すりの一端を前記エレベータかご室の側板に固定する第１の固定手段と、この第１の固定手段により固定された前記手すりがほぼ水平になるように前記手すりの他端を前記側板に着脱可能に固定する第２の固定手段と、を有することを特徴とするエレベータかご室を提供する。
【０００７】
本発明の請求項５によれば、エレベータかご室内に並べてほぼ同じ高さに設けられる第１、第２の手すりと、前記第１の手すりが前記エレベータかご室の側板に平行に、回動可能となるように前記第１の手すりの一端を前記エレベータかご室の側板に固定する第１の固定手段と、この第１の固定手段により固定された前記第１の手すりがほぼ水平になるように前記第１の手すりの他端を前記側板に着脱可能に固定する第２の固定手段と、前記第２の手すりが前記エレベータかご室の側板に平行に、回動可能となるように前記第２の手すりの一端を前記エレベータかご室の側板に固定する第３の固定手段と、この第３の固定手段により固定された前記第２の手すりがほぼ水平になるように前記第２の手すりの他端を前記側板に着脱可能に固定する第４の固定手段と、を有することを特徴とするエレベータかご室を提供する。
【０００８】
本発明の請求項６によれば、エレベータかご室内に並べてほぼ同じ高さに設けられたヒンジ機構により接続された第１、第２、第３の手すりと、前記記第２の手すりを固定する第５の固定手段と、前記第１の手すりの前記ヒンジ機構が接続されていない端を前記第１の手すりがほぼ水平になるように前記側板に着脱可能に固定する第６の固定手段と、前記第３の手すりの前記ヒンジ機構が接続されていない端を前記第３の手すりがほぼ水平になるように前記側板に着脱可能に固定する第７の固定手段と、を有することを特徴とするエレベータかご室を提供する。
【０００９】
本発明の請求項７によれば、エレベータかご室内にほぼ水平に設けられる手すり外筒と、この手すり外筒内から突出するようにスライド可能に前記手すり外筒の一端に設けられた第１の手すり内筒と、この第１の手すり内筒の突出端を側板に着脱可能に固定する第１の突出固定手段と、前記手すり外筒内から突出するようにスライド可能に前記手すり外筒の他端に設けられた第２の手すり内筒と、この第２の手すり内筒の突出端を前記側板に着脱可能に固定する第２の突出固定手段と、を有することを特徴とするエレベータかご室を提供する。
【００１０】
本発明の請求項８によれば、エレベータかご室内に設けられる手すりと、この手すりが水平に回動可能となるように前記手すりの一端を前記エレベータかご室の側板に固定する第１の固定手段と、この固定手段により固定された前記手すりがほぼ水平になる方向に前記手すりの他端を前記側板に着脱可能に固定する第２の固定手段とを有することを特徴とするエレベータかご室を提供する。
【発明の効果】
【００１１】
本発明によれば、近くにトランク扉や操作盤があっても、手すりの長さを充分取ることが可能であり、したがって、便利で安全性も高い手すりを有するエレベータかご室を得ることができる効果がある。
【発明を実施するための最良の形態】
【００１２】
以下、本発明の実施形態について図面を用いて説明する。図１（ａ）（ｂ）に本発明一実施形態において手すりを取り付けるときの移動状態、手すりを取り付けたときの側面図を示し、図２は、手すり１２の左側部分あたりの拡大断面図である。
【００１３】
エレベータかご室を構成する側板１１の、手すり１２が取り付けられる両端に近い位置に座１３ａ，１３ｂが固定される。図２に示すように、一方の座１３ａの上には、手すり１２に下方から取着されたブラケット１４ａが、回転軸１５を中心に回転可能に、台１５ａに設けられた手すり固定ねじ１６ａで固定されている。番号１７は側板１１の裏面で回転軸１５を保持する軸受けであり、この軸受け１７はねじ１８、１９で側板１１に止められている。他方のブラケット１４ｂは台１５ｂに取り付けられている。
【００１４】
手すり１２を設定するときには、ブラケット１４ａを中心に１２”の位置から１２’の位置、更に１２の位置に回動させ、手すり固定ねじ１６ｂを台１５ｂに固定する。また、台１５ｂに取り付けられている手すり固定ねじ１６ｂをはずすことにより、手すり１２は、ブラケット１４ａを中心に１２の位置から１２’の位置、更に１２”の位置に回動可能である。
【００１５】
この実施形態によれば、手すり固定ねじ１６ｂをはずすことにより、手すりを回動させてほぼ水平な状態からほぼ垂直な状態にすることができ、手すりの横にエレベータかご室のトランク扉や、操作盤があっても、手すりが邪魔にならず、開閉や作業を容易にすることが可能となる。
【００１６】
図３乃至図５を用いて本発明の第２の実施形態の構成例を説明する。図３はこの実施形態で手すり２２が水平方向と垂直方向に回動可能であることを示す正面図であり、図４は、図３の右側の手すり取り付け部付近の断面図であり、図５は図４における台１５ｂに設けられた鍵穴の方向を示す図である。
【００１７】
手すり２２が２２”、２２’及び２２の各位置で回動することは上記実施形態の場合と同様である。この実施形態では、手すりの右側取り付け部分の仕組みが上記実施形態と異なっている。即ち、ブラケット２４ｂが台２５ｂに取り付けられており、手すり２２の回動動作でブラケット２４ｂ及び台２５ｂは移動する。
【００１８】
台２５ｂには、鍵２７を差し込み、回転できる鍵穴２８が設けられている鍵穴２８には、２９が連動している。座２３ｂは側板２１にねじで固着されているが、手すり２２を垂直方向から水平方向に持ち上げ、この座２３ｂに上記台２５ｂを当て、鍵穴２８に鍵２７を差し込み、例えば時計方向に回すと、留め金２９が作動して台２５ｂが座２３ｂに固定される。
【００１９】
一方、鍵２７を鍵穴２８に差し込み、反時計方向に回すと、留め金２９が作動して台２５ｂが座２３ｂから離脱でき、手すり２２を水平方向から垂直方向に回動できる。
【００２０】
本発明のこの実施形態によれば、鍵２７を差し込んで回すことに、より容易に手すりを水平方向に固定しあるいは、垂直方向に回動することが可能である。
【００２１】
図６を用いて本発明の第３の実施形態について説明する。図６は側板３１に水平方向に設けられた手すりを示す図面であり、この手すりは分割され、第１の手すり３２ａと第２の手すり３２ｂとか成っている。第１の手すり３２ａは、その左端部に下方から取り付けられたブラケット３３ａを中心に、右端部を反時計方向に約９０度、回動自在に設けられており、手すり使用時の右端部の固定は、上記第１の実施形態と同様に例えば、ブラケット３３ｂを手すり固定ねじで固定することによりなされる。
【００２２】
一方、第２の手すり３２ｂも同様に、右端部は下方から取り付けられたブラケット３４ａが回転自在に設けられている。この第２の手すり３２ｂは、ブラケット３４ａを中心に約９０度時計回りに回動可能である。第２の手すり３２ｂを使用するときも、この手すりの右端部に設けられたブラケット３４ｂを手すり固定ねじで固定すればよい。
【００２３】
第２の手すり３２ｂの右端部を下げる方向に回動させて、例えばトランク扉３５の開閉を容易に行うことができるようにすることができる。一方、第１の手すり３２ａの右端部を上げる方向に回動させることにより、この手すりをほぼ垂直に立てることができ、例えば操作盤３６の開閉を自由に行えるようにすることが可能である。
【００２４】
なお、図７に示すように、第１の手すり３２ａの右端部３７と第２の手すりの左端部３８を丸くして、しかもその頂点が近接するようにすれば、手すり部分を長くすることができ、分割部分の隙間を最小限にして手すりにつかまる人の違和感を払拭することができる。
【００２５】
上記実施形態では、分割された手すりの一方を上方に回動し、他方を下方に回動するようにしたが、両方とも上方あるいは下方に回すようにしてもよい。
【００２６】
本発明のこの実施形態によれば、手すり全体を垂直に立てなくとも、トランク扉や操作盤に当たる手すりの部分のみを立てるだけでよい。
【００２７】
図８により本発明の第４の実施形態について説明する。同図において、手すり４１は、その一端部が固着されたブラケット４２ａを中心に側板４０から離れる方向に回動可能になっている。この手すり４１の他端部に設けられたブラケット４２ｂは、台を介して側板４０に手すり固定ねじ４３で固定可能である。
【００２８】
このようにすれば、リターンパネル４４に取り付けられている操作盤４５の開閉時には手すり４１のブラケット４２ｂが取り付けられた端部を側板４０から離すようにしておくことにより、操作盤４５の開閉を容易に行うことができる。
【００２９】
図９（ａ）（ｂ）により本発明の第５の実施形態について説明する。図９（ａ）はエレベータ内手すりなどの部分の正面図、図９（ｂ）は同図（ａ）におけるＡ部の拡大図である。手すり５２は、手すり外筒５３内に手すり内筒５４ａ，５４ｂがスライド可能に設けられている。
【００３０】
したがって、手すり５２の使用時には手すり内筒５４ａ、５４ｂは最大限度まで突出させている。例えばトランク扉５５を開閉するときには、手すり内筒５４ｂをスライドさせ手すり外筒５３中に押し込むことにより、容易に操作することができる。
【００３１】
また、操作盤５６を開閉するときには、手すり内筒５４ａをスライドさせ手すり外筒５３中に押し込むことにより、容易に操作することができる。
【００３２】
この実施形態によれば、トランク扉５５や操作盤５６を開閉するとき、手すり部分をスライドさせるだけで簡単に、開閉操作を行うことが可能である。
【００３３】
図１０（ａ）（ｂ）により本発明の第６の実施形態について説明する。図１０（ａ）は、この実施形態の正面図であり、図１０（ｂ）は同図（ａ）におけるＢ部の拡大図である。この実施形態では、手すりとして３分割された第１の手すり６２ａ，第２の手すり６２ｂ、第３の手すり６２ｃを有し、第２の手すり６２ｂは固定されている。第１の手すり６２ａの右端部はヒンジ機構により第２の手すり６２ｂに取り付けられており、第１の手すり６２ａはその左端部を下方にほぼ９０度、回動可能にされている。また、第３の手すり６２ｃはその右端部をヒンジ機構６３ｂにより第２の手すり６２ｂに取り付けられており、第３の手すり６２ｃの左端部は下方にほぼ９０度、回動可能にされている。
【００３４】
したがって、トランク扉６５を開閉するときには、第３の手すり６２ｃの右端部を下方に回動すれば容易に、開閉操作をすることが可能である。また、操作盤６６を開閉するときには、第１の手すり６２ａの左端部を下方に回動することにより、容易に開閉操作をすることが可能である。
【００３５】
本発明のこの実施形態によれば、手すりのより短い部分を回動することによって、トランク扉や操作盤の開閉操作を、より容易に行うことができる効果がある。
【図面の簡単な説明】
【００３６】
【図１】本発明一実施形態における手すりの構成を示す図。
【図２】図１に示した本発明一実施形態における手すりの左端部付近を示す図。
【図３】本発明の第２の実施形態における手すりの構成を示す図。
【図４】図３に示した実施形態における手すりの固定を説明するための図。
【図５】図３に示した実施形態において鍵の回転の様子を説明するための図。
【図６】本発明の第３の実施形態の構成を示す図。
【図７】図６に示した実施形態の変形例を示す図。
【図８】本発明の第４の実施形態における手すりの構成を示す図。
【図９】本発明の第５の実施形態における手すりの構成を示す図。
【図１０】本発明の第６の実施形態における手すりの構成を示す図。
【図１１】エレベータかご室における従来の手すりとトランク扉、操作盤の関係を示す図。
【符号の説明】
【００３７】
１１，４０・・・側板、
１２，２２，４１，５２・・・手すり、
１３ａ，１３ｂ，２３ａ，２３ｂ・・・座、
１４ａ，１４ｂ，２４ａ，２４ｂ，３３ａ，３３ｂ，３４ａ，３４ｂ，４２ａ，４２ｂ・・・ブラケット、
１５・・・回転軸、
１５ａ，１５ｂ・・・台、
１６ａ，１６ｂ・・・手すり固定ねじ、
１７・・・軸受け、
２７・・・鍵、
２８・・・鍵穴、
２９・・・留め金、
３２ａ，６２ａ・・・第１の手すり、
３２ｂ，６２ｂ・・・第２の手すり、
３５，５５，６５・・・トランク扉、
３６，４５，５６，６６・・・操作盤、
４３・・・固定ねじ、
４４・・・リターンパネル、
４５・・・操作盤、
５３・・・手すり外筒、
５４ａ，５４ｂ・・・手すり内筒、
６２ｃ・・・第３の手すり、
６３ａ，６３ｂ・・・ヒンジ機構。
【図１】
2005096962.tif 000003
【図２】
2005096962.tif 000004
【図３】
2005096962.tif 000005
【図４】
2005096962.tif 000006
【図５】
2005096962.tif 000007
【図６】
2005096962.tif 000008
【図７】
2005096962.tif 000009
【図８】
2005096962.tif 000010
【図９】
2005096962.tif 000011
【図１０】
2005096962.tif 000012
【図１１】
2005096962.tif 000013